(57)【要約】【課題】側溝の排水機能を低下させることなく、既存の直線状の側溝用ブロックを利用して簡単且つ安価に道路の曲がり角に応じた側溝のコーナー部を形成できる側溝用ブロックの連結構造を提供する。【解決手段】側溝のコーナー部に配置する複数の側溝用ブロックにおいて、互いに対向する底部端縁部に円形の円盤軸嵌入孔を形成するための半円弧状の嵌入凹部をそれぞれ設け、対向する側溝用ブロック同士の連結折曲部における円盤軸嵌入孔に嵌着した円盤軸体の内側と外側の空間部分にそれぞれ補充する補充ブロックを設けてなることとした。【選択図】図２
2020076231.tif 000002
【特許請求の範囲】
【請求項１】
側溝のコーナー部に配置する複数の側溝用ブロックにおいて、
互いに対向する底部端縁部に円形の円盤軸嵌入孔を形成するための半円弧状の嵌入凹部をそれぞれ設け、
対向する側溝用ブロック同士の連結折曲部における円盤軸嵌入孔に嵌着した円盤軸体の内側と外側の空間部分をそれぞれ補充するために現場打ちによる補充ブロックを形成して構成したことを特徴とする側溝のコーナー部における側溝用ブロックの連結構造。
【発明の詳細な説明】
【技術分野】
【０００１】
この発明は、側溝のコーナー部における側溝用ブロックの連結構造に関する。
【背景技術】
【０００２】
従来、車道や歩道などの道路や地下には道路に沿って直線状の側溝用ブロックを複数連結して形成した側溝が設けられているが、道路は当然に曲がり角を有している。
【０００３】
このような道路の曲がり角に応じた側溝のコーナー部を構築すべく、連続する側溝用ブロックにおいて、両ブロックの端部で両ブロックに連通する排水窓を側壁に突出形成した連結筒体を両ブロックの連結部分に介設したり（例えば、特許文献１参照。）、両ブロックの対向する端部を平面視で斜めに切削して接合したり（例えば、特許文献２参照。）して、互いの側溝用ブロックの間に折曲連結部を形成している。
【先行技術文献】
【特許文献】
【０００４】
【特許文献１】特開２００２−２９４８５１号公報
【特許文献２】実用新案登録第３１８４５６７号公報
【発明の概要】
【発明が解決しようとする課題】
【０００５】
しかしながら、従来技術では、両ブロックの折曲連結部における接続構造を徒に複雑化させ、側溝設置施工の手間を煩雑とし、施工コストを高額とするばかりか、側溝の本来的な排水機能を低下させる恐れがあった。
【０００６】
すなわち、特許文献１に開示の技術は、両ブロックの連結部分に介在設置する連結筒体の構造や製造加工を複雑化させ、設置後においては大雨などの降水量が多い天候時に連結筒体が側溝を流れる雨水に混じった爽雑物などで不用意に詰まり排水障害を引き起こして側溝の排水機能を低下させる原因となっていた。
【０００７】
また、特許文献２に開示の技術は、施工現場の道路の曲がり角に応じて既存の直線状の側溝用ブロックを精密に斜め切削加工する必要があり、施工者の作業負担を多くして実際の施工現場に配慮したものではなかった。
【０００８】
本発明は、かかる事情に鑑みてなされたものであって、側溝の排水機能を低下させることなく、既存の直線状の側溝用ブロックを利用して簡単且つ安価に道路の曲がり角に応じた側溝のコーナー部を形成できる側溝用ブロックの連結構造を提供するものである。
【課題を解決するための手段】
【０００９】
上記従来の課題を解決するために、本発明では、側溝のコーナー部に配置する複数の側溝用ブロックにおいて、互いに対向する底部端縁部に円形の円盤軸嵌入孔を形成するための半円弧状の嵌入凹部をそれぞれ設け、対向する側溝用ブロック同士の連結折曲部における円盤軸嵌入孔に嵌着した円盤軸体の内側と外側の空間部分をそれぞれ補充するために現場打ちによる補充ブロックを形成して構成したことを特徴とする側溝のコーナー部における側溝用ブロックの連結構造とした。
【発明の効果】
【００１０】
本発明によれば、側溝のコーナー部に配置する複数の側溝用ブロックにおいて、互いに対向する底部端縁部に円形の円盤軸嵌入孔を形成するための半円弧状の嵌入凹部をそれぞれ設け、対向する側溝用ブロック同士の連結折曲部における円盤軸嵌入孔に嵌着した円盤軸体の内側と外側の空間部分をそれぞれ補充するために現場打ちによる補充ブロックを形成して構成したため、側溝の排水機能を低下させることなく、既存の直線状の側溝用ブロックを利用して簡単且つ安価に道路の曲がり角に応じた側溝のコーナー部を形成できる。
【００１１】
すなわち、所望とする側溝のコーナー部の曲率を考慮することなく既存の直線状の側溝用ブロックの底部端縁部に半円弧状の嵌入凹部を設けるだけで、円盤軸体を中心に各ブロックの嵌入凹部を外嵌配置すると共に円盤軸体の内側及び外側の空間部分のそれぞれを補充する補充ブロックを同空間に外嵌するように現場打ちにて補充配置することにより、両ブロック同士の間に側溝のコーナー部に適合する折曲連結部を安価且つ簡単に形成することができる効果がある。また、円盤軸体が側溝を流れる雨水の妨げとならずに排水機能を良好とする効果がある。
【図面の簡単な説明】
【００１２】
【図１】本発明にかかる側溝用ブロックの連結構造を示す平面図である。
【図２】本発明にかかる側溝用ブロックの連結構造を示す外観斜視図である。
【図３】本発明にかかる側溝用ブロックの連結構造の補充ブロックの構成を示す外観斜視図である。
【図４】本発明にかかる側溝用ブロックの連結構造に係る上蓋ブロックの上面通水孔の配置構成を示す平面図である。
【図５】本発明にかかる側溝用ブロックの連結構造に係る上蓋ブロックの平面図である。
【発明を実施するための形態】
【００１３】
この発明の要旨は、側溝のコーナー部に配置する複数の側溝用ブロックにおいて、互いに対向する底部端縁部に円形の円盤軸嵌入孔を形成するための半円弧状の嵌入凹部をそれぞれ設け、対向する側溝用ブロック同士の連結折曲部における円盤軸嵌入孔に嵌着した円盤軸体の内側と外側の空間部分をそれぞれ補充するために現場打ちによる補充ブロックを形成して構成したことを特徴とする側溝のコーナー部における側溝用ブロックの連結構造を提供することにある。
【００１４】
以下、本発明の実施例について詳説する。図１及び図２は本発明にかかる側溝用ブロックの連結構造を示す平面図及び斜視図、図３は本発明にかかる側溝用ブロックの連結構造の補充ブロックの構成を示す斜視図、図４は本発明にかかる側溝用ブロックの連結構造に係る上蓋ブロックの上面通水孔の配置構成を示す平面図、図５は本発明にかかる側溝用ブロックの連結構造に係る上蓋ブロックの平面図である。
【００１５】
本実施例にかかる側溝用ブロックの連結構造Ａは、図１に示すように、側溝のコーナー部に配置する複数の側溝用ブロック１０、１０’において、互いに対向する底部１１、１１’の端縁部に、端縁部同士の対向状態で円形の円盤軸嵌入孔２０を形成するための半円弧状の嵌入凹部２１、２１’をそれぞれ設けている。なお、本実施例では、側溝用ブロック１０は、上方開口のＵ字ブロックを使用しているが、地中に埋設されるボックスカルバートのような管状ブロックであってもよい。
【００１６】
かかる側溝用ブロック１０、１０'を道路の曲がり角等の曲率に沿うように複数配置し、各ブロック１０、１０'の対向する底部１１端縁部の間で、互いの嵌入凹部２１、２１’によりなす円形の円盤軸嵌入孔２０を形成する。
【００１７】
円盤軸嵌入孔２０には、側溝用ブロック１０、１０’同士の間に形成される連結折曲部４０の中心底部となる円盤軸体３０を嵌着している。換言すれば、側溝用ブロック１０の嵌入凹部２１は、円盤軸体３０の外周輪郭に沿う円弧状に形成している。
【００１８】
円盤軸体３０は、図２に示すように平面視真円状の円盤底部３１と、円盤底部３１の中央で上方突出する把手部３２とで構成している。
【００１９】
円盤軸体３０は、側溝用ブロック１０の底部１１の厚みより肉薄に形成しており、各ブロック１０、１０’を側溝のコーナー部に沿って配置する時に外周に各ブロック１０、１０’の嵌入凹部２１、２１’を外嵌接合して両ブロック１０、１０’を回動自在に連結している。
【００２０】
側溝用ブロック１０、１０’同士の連結折曲部４０における円盤軸嵌入孔２０に嵌着した円盤軸体３０の内側と外側の空間部分には、図２に示すようにそれぞれの内外空間を補充する補充ブロック５０を、コンクリートを打設して２つ形成している。
【００２１】
補充ブロック５０は、現場打ちにより形成されるものであり、連結折曲部４０における平面視三角形状の内外空隙に別途設けた型枠を設置し、同型枠内にコンクリートを流入固化して平面視略三角形状に形成する。このような補充ブロック５０は、連結折曲部４０内側を補充する内側補充ブロック５０ａと連結折曲部４０外側を補充の外側補充ブロック５０ｂとからなる。
【００２２】
このように現場で打設形成される補充ブロック５０は、側溝用ブロック１０の底部１１及び円盤軸体３０とに接合して連結折曲部４０の底部をなす扇状底部５１と、扇状底部５１の外端縁から立上り側溝用ブロック１０、１０’の側壁と接合して連結折曲部４０の側壁部をなす折曲側壁部５２と、を備える。
【００２３】
なお、外側補充ブロック５０ｂの折曲側壁部５２は中央部内側で凹むように屈曲し、内側補充ブロック５０ａの折曲側壁部５２は中央部内側で突出するように屈曲して、それぞれ形成している。
【００２４】
折曲側壁部５２は、円盤軸体３０を中心に外嵌した嵌入凹部２１、２１’で囲まれた以外の側溝用ブロック１０、１０の底部端面と円盤軸体３０の外周側面とよりなす隙間空間に対して、その厚みを側溝用ブロック１０、１０’の側壁の厚みと略同じとし、その内外側面を側溝用ブロック１０、１０’の側壁と接合した状態で同側壁面と略面一状態となるようにコンクリートを流入固化して形成している。
【００２５】
また、補充ブロック５０の扇状底部５１の端縁部には、側溝用ブロック１０と同様に、円盤軸体３０の外周に沿う円弧状の嵌入凹部５３を現場打ちにて形成している。
【００２６】
扇状底部５１は、円盤軸体３０を中心に外嵌した嵌入凹部２１、２１’で囲まれた以外の側溝用ブロック１０、１０の底部端面と円盤軸体３０の外周側面とよりなす隙間空間に対して、その厚みを側溝用ブロック１０の底部１１の厚みと略同じとし、その内外底面を側溝用ブロック１０、１０’の底部１１の内外底面と略面一状態となるようにコンクリートを流入固化して形成している。
【００２７】
換言すれば、補充ブロック５０の嵌入凹部５３は、側溝用ブロック１０、１０の底部端面と円盤軸体３０の外周側面とよりなす隙間空間を型枠とした扇状底部５１の先端部分で円盤軸体３０の外周輪郭に沿って打設形成される。
【００２８】
また、補充ブロック５０の両側端面には、図２及び図３に示すように上下方向に伸延する嵌着凸部５４、５４'を突設しており、側溝用ブロック１０、１０’の左右側壁端部に伸延形成した嵌合凹部１３、１３'に嵌着接合するように構成している。すなわち、側溝用ブロック１０、１０’の嵌合凹部１３、１３'を型枠として補充ブロック５０の嵌着凸部５４、５４'が形成される。
【００２９】
このように、折曲側壁部５２の曲率ごとに各種ブロックを予め準備することなく、側溝用ブロック１０、１０’同士の連結折曲部４０における円盤軸嵌入孔２０に嵌着した円盤軸体３０を中心に内側と外側の空間部分について簡単な現場打ちにて、各種現場の折曲側壁部５２の曲率に適確に応じて確実な水密を実現する補充ブロック５０を形成することができる。
【００３０】
このように構成した連結構造Ａを介して側溝用ブロック１０、１０’同士を連結することにより、長方形状の前後側溝用ブロック１０、１０’を、円盤軸体３０を中心にその底部端縁部の嵌入凹部２１、２１’を介して回動させて連結角度を微調整しながら連結折曲部４０のアール曲率形状に合致するように配置することができる。
【００３１】
また、前後側溝用ブロック１０、１０’同士を円盤軸体３０と嵌入凹部２１、２１’を介して強固に連結することができる。なお、円盤軸体３０の上部には、コンクリートを流入して側溝用ブロック１０、１０’の底部１１と面一に形成する。
【００３２】
上記のように形成された円盤軸体３０と円盤軸嵌入孔２０とは、図１及び図４に示すように真円形状としており、従って、この円盤軸体３０と円盤軸嵌入孔２０とを間に介して前後に接合する側溝用ブロック１０、１０’の継ぎ目を折曲して側溝の連結折曲部４０を形成したブロック連結を行うことができる。
【００３３】
しかも、図４及び図５に示すように連続する各ブロック１０、１０’上面に閉蓋する上蓋ブロック６０の上面通水孔６１を定尺に配することができることになり、連結折曲部４０における上蓋ブロック６０、６０’・・・の上面通水孔６１の位置外観を整順とした等間隔とすることになり、ブロック外観の美感を出すことができる効果がある。
【００３４】
上蓋ブロック６０は、図４及び図５に示すように、連結折曲部４０に合致するように前後のつなぎ目となる端部を斜めに切削した形状として斜め切削部６２を接合して連結折曲部４０を形成する。
【００３５】
このような上蓋ブロック６０は、連結折曲部４０のアール形状に応じて斜め切削部６２の傾斜角度を数種類形成しておけば、現場の連結折曲部４０のアール形状に相当する切削部６２のブロックを選択して前後組み合わせ連結して所望の曲率を実現する連結折曲部４０を形成する。
【００３６】
円盤軸体３０と円盤軸嵌入孔２０は、側溝用ブロック１０、１０’の継ぎ目の中央位置に配すると共に、図４及び図５に示すように上蓋ブロック６０の上面通水孔６１は予め上蓋ブロック６０に２個つ形成し、その内幅を上蓋ブロック６０の中心線Ｃの長さＬの1/2（1/2Ｌ）とし、上面通水孔６１と上蓋ブロック６０端縁との間隔を1/4Ｌの長さにしている。
【００３７】
なお、降雨量の多い区域や降雨による雨水が流れ集まる集水区域に側溝用ブロック１０及び上蓋ブロック６０を設置する場合には、必要に応じて上蓋ブロック６０の上面通水孔６１の増設を行う。例えば、上面通水孔６１は、上蓋ブロック６０に３個形成し、その内幅を上蓋ブロック６０の中心線Ｃの長さＬの1/4（1/4Ｌ）としてもよい。
【００３８】
従って、図１０及び図１４（ａ）に示すように、連結折曲部４０を形成した場合には、上蓋ブロック６０の上面通水孔６１は前後の各上蓋ブロック６０、６０’・・・における上面通水孔６１が全て等間隔の1/2Ｌとなって整順した美麗な連結折曲部の上蓋ブロック６０、６０’・・・を形成することができる。
【００３９】
このように上面通水孔６１を設けた上蓋ブロック６０の中心線Ｃ上での左右の規格長さを定尺とすることにより、連結折曲部において等間隔の上面通水孔６１を形成することができ、連結折曲部における定尺組合せブロックとすることができる。
【００４０】
以上、説明してきたように、本発明によれば、側溝の排水機能を低下させることなく、既存の直線状の側溝用ブロックを利用して簡単且つ安価に道路の曲がり角に応じた側溝のコーナー部を形成できる側溝用ブロックの連結構造を提供することができる。
【符号の説明】
【００４１】
Ａ  側溝用ブロックの連結構造
１０  側溝用ブロック
２０  円盤軸嵌入孔
２１  嵌入凹部
３０  円盤軸体
３１  円盤底部
３２  把手部
４０  連結折曲部
５０  補充ブロック（５０ａ  内側補充ブロック、５０ｂ  外側補充ブロック）
５１  扇状底部
５２  折曲側壁部
５３  嵌入凹部
【図１】
2020076231.tif 000003
【図２】
2020076231.tif 000004
【図３】
2020076231.tif 000005
【図４】
2020076231.tif 000006
【図５】
2020076231.tif 000007